【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
記録媒体に画像を記録する記録手段と、
外部から送信される画像に係る画像データを受信する受信手段と、
前記受信手段により受信された前記画像データを、前記記録手段を駆動するための駆動データに変換するための演算を行う演算手段と、
前記演算手段により変換された前記駆動データが記憶される揮発性メモリである第１メモリと、
前記画像データ又は前記駆動データに係る認証情報が入力される入力手段と、
前記入力手段によって入力された前記認証情報が所定の情報を具備しているか否かの判断を行う認証判断手段と、
前記演算手段及び前記第１メモリに対する電力の供給を制限する制限手段と、
前記画像データを記憶する第２メモリと、
前記第１メモリと前記第２メモリとの間で前記駆動データ又は前記画像データの転送を行う転送手段と、
前記記録手段、前記転送手段及び前記制限手段を制御する制御手段とを備えており、
前記制御手段は、
前記第１メモリに前記駆動データが記憶され、前記第２メモリに前記画像データが記憶されるように前記転送手段を制御し、且つ、前記認証情報が前記所定の情報を具備していると前記認証判断手段が判断した後に、前記第１メモリに記憶された前記駆動データ、及び、前記第２メモリに記憶された前記画像データから前記演算手段によって変換された前記駆動データのいずれかに基づいて、記録媒体に前記画像が記録されるように前記記録手段を制御し、
前記画像データは前記駆動データよりデータ量が小さいことを特徴とする画像記録装置。
【請求項２】
前記制御手段は、前記制限手段による前記電力の供給に係る制限が解除された後に、前記画像データが前記第２メモリから前記第１メモリに転送されるように前記転送手段を制御することを特徴とする請求項１に記載の画像記録装置。
【請求項３】
前記制御手段は、前記記録手段による記録、前記受信手段による受信及び前記入力手段への入力のいずれもが行われていない時間が所定時間以上となったときに前記電力の供給が制限されるように前記制限手段を制御することを特徴とする請求項１又は２に記載の画像記録装置。
【請求項４】
前記制御手段は、前記記録手段による画像の記録が完了するまで、前記第２メモリに記憶された前記画像データを消去しないことを特徴とする請求項１〜３のいずれか１項に記載の画像記録装置。
【請求項５】
前記制御手段は、前記記録手段による画像の記録が完了した場合に、前記第１メモリに記憶された前記駆動データ及び第２メモリに記憶された前記画像データを消去することを特徴とする請求項４に記載の画像記録装置。
【請求項６】
前記制限手段は、前記演算手段及び前記第１メモリの少なくともいずれかに対する電力の供給を完全に遮断することを特徴とする請求項１〜５のいずれか１項に記載の画像記録
装置。
【請求項７】
前記制御手段は、前記受信手段により受信された前記画像データが、通常印刷に係るものであると判断した場合、前記第１メモリに前記駆動データが記憶され、前記第２メモリに前記画像データが記憶されるように前記転送手段を制御し、且つ、前記第１メモリに記憶された前記駆動データに基づいて、記録媒体に前記画像が記録されるように前記記録手段を制御することを特徴とする１〜６のいずれか１項に記載の画像記録装置。
【請求項８】
前記画像データはページ記述言語で記述されたデータであることを特徴とする請求項１〜７のいずれか１項に記載の画像記録。
【請求項９】
記録媒体に画像を記録する記録手段、外部から送信される画像に係る画像データを受信する受信手段、前記受信手段により受信された前記画像データを、前記記録手段を駆動するための駆動データに変換するための演算を行う演算手段、前記演算手段により変換された前記駆動データが記憶される揮発性メモリである第１メモリ、前記画像データ又は前記駆動データに係る認証情報が入力される入力手段と、前記入力手段によって入力された前記認証情報が所定の情報を具備しているか否かの判断を行う認証判断手段、前記演算手段及び前記第１メモリに対する電力の供給を制限する制限手段、前記画像データを記憶する第２メモリ、前記第１メモリと前記第２メモリとの間で前記駆動データ又は前記画像データの転送を行う転送手段、及び、前記記録手段、前記転送手段及び前記制限手段を制御する制御手段を備え、前記画像データは前記駆動データよりデータ量が小さい画像記録装置において、
前記制御手段が、前記第１メモリに前記駆動データが記憶され、前記第２メモリに前記画像データが記憶されるように前記転送手段を制御し、且つ、前記認証情報が前記所定の情報を具備していると前記認証判断手段が判断した後に、前記第１メモリに記憶された前記駆動データ、及び、前記第２メモリに記憶された前記画像データから前記演算手段によって変換された前記駆動データのいずれかに基づいて、記録媒体に前記画像が記録されるように前記記録手段を制御するようにコンピュータを機能させることを特徴とするプログラム。
【手続補正２】
【補正対象書類名】明細書
【補正対象項目名】０００６
【補正方法】変更
【補正の内容】
【０００６】
本発明の画像記録装置は、記録媒体に画像を記録する記録手段と、外部から送信される画像に係る画像データを受信する受信手段と、前記受信手段により受信された前記画像データを、前記記録手段を駆動するための駆動データに変換するための演算を行う演算手段と、前記演算手段により変換された前記駆動データが記憶される揮発性メモリである第１メモリと、前記画像データ又は前記駆動データに係る認証情報が入力される入力手段と、前記入力手段によって入力された前記認証情報が所定の情報を具備しているか否かの判断を行う認証判断手段と、前記演算手段及び前記第１メモリに対する電力の供給を制限する制限手段と、前記画像データを記憶する第２メモリと、前記第１メモリと前記第２メモリとの間で前記駆動データ又は前記画像データの転送を行う転送手段と、前記記録手段、前記転送手段及び前記制限手段を制御する制御手段とを備えている。前記制御手段は、前記第１メモリに前記駆動データが記憶され、前記第２メモリに前記駆動データ又は前記画像データが記憶されるように前記転送手段を制御し、且つ、前記認証情報が前記所定の情報を具備していると前記認証判断手段が判断した後に、前記第１メモリに記憶された前記駆動データ、及び、第２メモリに記憶された前記画像データから前記演算手段によって変換された前記駆動データのいずれかに基づいて、記録媒体に前記画像が記録されるように前記記録手段を制御する。そして、前記画像データは前記駆動データよりデータ量が小さい。
【手続補正３】
【補正対象書類名】明細書
【補正対象項目名】０００７
【補正方法】変更
【補正の内容】
【０００７】
本発明のプログラムは、記録媒体に画像を記録する記録手段、外部から送信される画像に係る画像データを受信する受信手段、前記受信手段により受信された前記画像データを、前記記録手段を駆動するための駆動データに変換するための演算を行う演算手段、前記演算手段により変換された前記駆動データが記憶される揮発性メモリである第１メモリ、前記画像データ又は前記駆動データに係る認証情報が入力される入力手段と、前記入力手段によって入力された前記認証情報が所定の情報を具備しているか否かの判断を行う認証判断手段、前記演算手段及び前記第１メモリに対する電力の供給を制限する制限手段、前記画像データを記憶する第２メモリ、前記第１メモリと前記第２メモリとの間で前記駆動データ又は前記画像データの転送を行う転送手段、及び、前記記録手段、前記転送手段及び前記制限手段を制御する制御手段を備え、前記画像データは前記駆動データよりデータ量が小さい画像記録装置において、前記制御手段が、前記第１メモリに前記駆動データが記憶され、前記第２メモリに前記画像データが記憶されるように前記転送手段を制御し、且つ、前記認証情報が前記所定の情報を具備していると前記認証判断手段が判断した後に、前記第１メモリに記憶された前記駆動データ、及び、前記第２メモリに記憶された前記画像データから前記演算手段によって変換された前記駆動データのいずれかに基づいて、記録媒体に前記画像が記録されるように前記記録手段を制御するようにコンピュータを機能させる。
【手続補正４】
【補正対象書類名】明細書
【補正対象項目名】０００８
【補正方法】変更
【補正の内容】
【０００８】
本発明によると、認証判断を行う前に演算装置及び第１メモリに対する電力の供給が制限されることで第１メモリに記憶された駆動データ又は画像データが消失しても、第２メモリに当該駆動データ又は画像データが残されているので、制限が解除された後に当該駆動データ又は画像データについての画像記録が可能であり、セキュリティを高くしつつ省電力化を図ることができる。また、前記第２メモリに、前記画像データが記憶され、前記第１メモリに、前記演算手段により前記画像データから変換された前記駆動データが記憶され、前記画像データは前記駆動データよりデータ量が小さい。これによると、認証後に画像データから駆動データへの変換が不要となるので、迅速に記録ができる。また、駆動データよりデータ量の小さい画像データを記憶するため、第２メモリの容量を小さくすることができる。
【手続補正５】
【補正対象書類名】明細書
【補正対象項目名】０００９
【補正方法】変更
【補正の内容】
【０００９】
本発明においては、前記制御手段は、前記制限手段による前記電力の供給に係る制限が解除された後に、前記画像データが前記第２メモリから前記第１メモリに転送されるように前記転送手段を制御することが好ましい。これによると、効率よく画像の記録を行うことができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明においては、前記制御手段が、前記記録手段による画像の記録が完了するまで、前記第２メモリに記憶された前記画像データを消去しないことが好ましい。これによると、記録媒体のジャムなどが発生して画像記録が中断しても、その後、画像記録をリトライできる。
【手続補正９】
【補正対象書類名】明細書
【補正対象項目名】００１４
【補正方法】変更
【補正の内容】
【００１４】
さらに、本発明においては、前記制御手段が、前記記録手段による画像の記録が完了した場合に、前記第１メモリに記憶された前記駆動データ及び第２メモリに記憶された前記画像データを消去することが好ましい。これによると、不要なデータを削除してメモリ容量を確保することができると共にデータの流出を防止することができる。
【手続補正１０】
【補正対象書類名】明細書
【補正対象項目名】００１６
【補正方法】変更
【補正の内容】
【００１６】
本発明によると、認証判断を行う前に演算装置及び第１メモリに対する電力の供給が制限されることで第１メモリに記憶された駆動データが消失しても、第２メモリに画像データが残されているので、制限が解除された後に当該駆動データ又は画像データについての画像記録が可能であり、セキュリティを高くしつつ省電力化を図ることができる。